(57)【要約】      （修正有）【課題】パレットに荷物を搭載してフォークリフト等によりパレット運搬する際、自動的に荷物の落下を防止する。【解決手段】パレット１内部にパレットガードベース板２及びパレットガード５ａ〜５ｈから構成されるパレットガード機構を収納し、パレット１にフォークを挿入することによりフォークがパレットガードベース板２の下に挿入される。フォークを上昇させる事により、パレットガードベース板２が上昇し、パレットガードベース板２と連動したパレットガード５ａ〜５ｈがパレット１の四隅よりパレット１上面にせり出す。パレットガード５ａ〜５ｈがパレット１の四隅よりパレット１上面にせり出す事により横滑り落下の防止壁となり、荷物の落下防止を可能とする。【選択図】図１
2017001720.tif 000002
【特許請求の範囲】
【請求項１】
荷物を積載すると共に、自パレットを運搬するフォークリフトのフォークを挿入するフォーク挿入穴を具備するパレットにおいて、
自パレットの内部に収納されるパレットガードと、自パレットの内部に前記パレットガードを収納するパレットガード収納構造と、前記パレットガードの一部または全てが自パレットの荷物積載面にせり出すパレットガードせり出し構造と、を有し、  
前記パレットガードは、荷物の滑落を防ぐ１以上のパレットガードと、前記１以上のパレットガードを保持するパレットガード保持構造と、前記フォーク挿入穴に挿入されるフォークと接触して前記フォークが挿入される際の力の一部を受容するフォーク挿入力受容構造と、前記受容した力により前記１以上のパレットガードが自パレットの荷物積載面にせり出させる伝力構造を含むことを特徴とするパレットガードを収納するパレット。
【発明の詳細な説明】
【技術分野】
【０００１】
本発明は、倉庫やパレットラック等において物品の保管や管理、移動に使用されるパレットに係り、フォークリフト等によるパレット移動時の物品の落下防止機能を有するパレットガードを収納するパレットに関する。
【背景技術】
【０００２】
従来のパレットにおいて、荷物の落下を防止するためにはパレットガードを装着する事が一般的であるが、パレットにパレットガードが固定されていると荷物をパレットガードの上まで持ち上げてパレットに積むため作業者の負担が大きい。そのため、パレットに荷物を積んだあとにパレットガードを装着する事ができ、荷物の落下を防止して、安全に荷物の運搬を行うパレットガードが知られている（例えば、特許文献１）。
【０００３】
しかしながら、特許文献１に記載されているような技術は、パレットに荷物を積んだ後、パレットガードを荷物の上まで持ち上げた後にパレットに装着するため作業者の腕力が必要であると共に、作業者はパレットに積んだ荷物によりパレットの反対面が見えない状態でパレットガードの四隅をパレットの四隅に合わせて装着する必要があるため、パレットガードの装着作業が繁雑である。また、パレットガードを使用しないときにパレットガード保管スペースが必要であるという問題があった。
【先行技術文献】
【特許文献】
【０００４】
【特許文献１】特開２００３−３２７２４５号公報
【発明の概要】
【発明が解決しようとする課題】
【０００５】
そこで、本発明の課題は、パレットに荷物を搭載してフォークリフト等によりパレット運搬する際、パレットガードが自動的に上がることで、パレットガードの装着作業およびパレットガード保管スペースを必要としない、荷物の落下を防止するパレットを提供することにある。
【課題を解決するための手段】
【０００６】
上記課題を解決するために、本発明は、荷物を積載すると共に、自パレットを運搬するフォークリフトのフォークを挿入するフォーク挿入穴を具備するパレットにおいて、自パレットの内部に収納されるパレットガードと、自パレットの内部に前記パレットガードを収納するパレットガード収納構造と、前記パレットガードの一部または全てが自パレットの荷物積載面にせり出すパレットガードせり出し構造と、を有し、前記パレットガードは、荷物の滑落を防ぐ１以上のパレットガードと、前記１以上のパレットガードを保持するパレットガード保持構造と、前記フォーク挿入穴に挿入されるフォークと接触して前記フォークが挿入される際の力の一部を受容するフォーク挿入力受容構造と、前記受容した力により前記１以上のパレットガードが自パレットの荷物積載面にせり出させる伝力構造を含むことを特徴とする。
【発明の効果】
【０００７】
本発明によれば、パレットに荷物を搭載してフォークリフト等によりパレット運搬する際、フォークリフト等がパレット及び荷物を持ち上げる際の力でパレットガードがパレットの端面からせり出し、パレットガードをせり出させる動力源が不要である。また、パレットガードがパレット内に収納されているのでパレットガード保管スペースを必要としない、荷物の落下を防止するパレットを提供できる。
【図面の簡単な説明】
【０００８】
【図１】本発明によるパレットガードを収納するパレットの内部構成を含む全体図(保管時)
【図２】本発明によるパレットガードを収納するパレットの内部構成を含む全体図(移動時)
【図３】本発明によるパレットガードを収納するパレットに収納されるパレットガード機構構成図
【図４】本発明によるパレットガードを収納するパレットのフォーク挿入を横から観た断面図(Ａ)フォーク挿入前 (Ｂ)フォーク挿入時 (Ｃ)パレット持ち上げ時
【発明を実施するための形態】
【０００９】
以下、本発明の実施の形態について、図を用いて説明する。図１は、本発明によるパレットガードを収納するパレット（以下、本パレットと略す）の内部構成を含む保管時の全体図であり、フォーク７a、７bの挿入前の状態図である。
【００１０】
本パレットは図３のパレットガード機構を収納している。フォーク７a、７bは本パレットのフォーク穴８a、８b又は８c、８d又は８e、８f又は８g、８hより挿入する。フォーク７a、７bが本パレットのフォーク穴８a、８b又は８c、８d又は８e、８f又は８g、８hに挿入されない状態に於いてはパレットガ―ド５ａ〜５hはパレット本体１の中に収納されており、荷物の積み卸しを容易に行うことが出来る。
【００１１】
パレットガードベース板２はフォーク挿入板３a〜３hとフォーク穴８a、８b又は８c、８d又は８e、８f又は８g、８hの上面との反発及びパレットガードベース板２及びパレットガード支持棒４ａ〜４ｄ、フォーク挿入板３a〜３h、パレットガード５a〜５hの自重によりフォーク穴８a、８b又は８c、８d又は８e、８f又は８g、８hの底面側に配置している。また、フォーク挿入板３ａ〜３ｈはフォーク挿入板３ａ〜３ｈの上端をフォーク穴８a、８b又は８c、８d又は８e、８f又は８g、８hの上面に接し、フォーク穴８a、８b又は８c、８d又は８e、８f又は８g、８hの入り口側に向けて斜めに配置されている。
【００１２】
図２は本パレットに荷物９を載せ、フォーク７a,７bをパレット本体１のフォーク穴８a,８bに挿入した状態に於ける本パレットの移動時の全体図である。
【００１３】
フォーク７a,７bはフォーク挿入板３a、３bの傾斜に沿ってパレットガードベース板２の下に挿入する。フォーク７a、７bの挿入により、パレットガードベース板２がフォーク７a、７bの厚み分上昇し、フォーク挿入板３a、３bが撓むと同時にパレットガード５a〜５hがパレット本体１の四隅より一部せり出す。フォーク７a、７bを上昇することによりパレットガードベース板２が上昇し、フォーク挿入板３a、３bはパレットガードベース板２の面と同一面まで撓むと同時にパレットガード５a〜５hがパレット本体１の四隅よりフォーク７a、７bの厚み分せり出す。更にフォーク７a、７bを上昇することにより、本パレットを上昇させ、本パレットの移動を行う。
【００１４】
本パレット移動時はパレットガード５a〜５hがパレット本体１の四隅よりせり出した状態となる。パレットガード５a〜５hが本パレットの四隅よりせり出す事により、荷物９が横滑りしたとき、荷物９がパレット本体１の端面よりはみ出すことを防止する壁となる。
【００１５】
図３は本パレットに搭載されているパレットガート機構の構成図である。
【００１６】
パレットガード機構は、パレットガードベース板２及びパレットガード支持棒４ａ〜４ｄ、フォーク挿入板３a〜３h、パレットガード５a〜５hで構成されている。パレットガードベース板２はパレットガード支持棒４ａ〜４ｄ及びフォーク挿入板３a〜３hと接続され、パレットガード支持棒４ａ〜４ｄはパレットガード５ａ〜５hとも接続している。
【００１７】
フォーク挿入板３a〜３hはパレットガードベース板２の端面に斜め上方向きで接続され、パレット本体１に組み込み時、フォーク挿入板３a〜３hのパレットガードベース板２と接続していない面はフォーク穴８a〜８hの上面とフォーク穴８a〜８hの挿入口に向かって斜めに接する形状をしている。フォーク挿入板３a〜３hはパレットガードベース板２の面と同一面まで撓む機能を有する。
【００１８】
パレットガード支持棒４ａ〜４ｄはパレットガードベース板２とパレットガード５ａ〜５hの下端と接続されており、パレットガードベース板２の面とパレットガード５ａ〜５hの下端は同一面で固定され、パレットガードベース板２の面とパレットガ―ド５ａ〜５hの面は垂直であるとともに、パレットガード５ａ〜５hの面はパレット本体１の側面に水平に固定されている。
【００１９】
図４は本パレット移動時のフォーク７bの挿入状態を横から観た断面図であり、(Ａ)はフォーク挿入前 、(Ｂ)はフォーク挿入時、 (Ｃ)はパレット持ち上げ時である。
【００２０】
図１および図４を元に本パレットの全体構成を説明する。
【００２１】
図４（Ａ）において、本パレットの待機時、パレットガードベース板２はフォーク挿入板３a〜３ｈとパレット本体１の上方面との反発及びパレットガードベース板２及びパレットガード支持棒４ａ〜４ｄ、フォーク挿入板３a〜３h、パレットガード５a〜５hの自重によりパレット本体１のフォーク穴８a、８b又は８c、８d又は８e、８f又は８g、８hの底面側に配置している。また、パレットガード５ａ〜５hもパレットガードベース板２と同期してパレット本体１の中に収まっている。
【００２２】
図４（Ｂ）において、パレット本体１のフォーク穴８a、８bよりフォーク７a、７bが挿入されると、フォーク７a、７bはフォーク挿入板３a、３bの傾斜に沿ってパレットガードベース板２の下に潜り込み挿入される。
【００２３】
フォーク７a、７bの挿入力はフォーク挿入板３a、３bの傾斜及びパレットガードベース板２に伝わり、パレットセンター柱６で受けることにより、パレットガードベース板２をパレットセンター柱６に沿って上方に浮き上がらせると共にパレットガード５a〜５hがフォーク７a、７bの厚み分パレット本体１の四隅よりせり出す。
【００２４】
図４（Ｃ）において、フォーク７a、７bがパレットガードベース板２の下に挿入された状態でフォーク７a、７bを上昇することによりパレットガードベース板２が更に上昇し、フォーク挿入板３a、３bはパレットガードベース板２の面と同一面まで撓むと同時にパレットガード５a〜５hがパレット本体１の四隅よりフォーク穴８a、８bの高さまでせり出す。
【００２５】
更にフォーク７a、７bを上昇することにより、本パレットを上昇させ、本パレットの移動を行う。パレットガード５a〜５hがパレット本体１よりせり出すことにより、本パレットに載せた荷物の横滑り落下に対する壁となり、本パレット移動時の荷物の落下を防止することができる。
【００２６】
本パレットの移動完了後、本パレットからフォーク７a、７bを抜くと、パレットガードベース板２がフォーク穴８a、８b又は８c、８d又は８e、８f又は８g、８hの底面側に下がると共にパレット本体１の四隅からせり出していたパレットガード５ａ〜５hはパレット本体１の中に収納される。
【００２７】
本パレットはフォーク７a、７bがフォーク穴８a、８b又はフォーク穴８c、８d、フォーク穴８e、８f、フォーク穴８g、８hより挿入されても同様の動作をする。
【００２８】
以上、本発明の実施形態について説明した。本発明によれば、本パレット移動時に本パレットに搭載した荷物９の落下を防止し、安全に荷物９の運搬ができるという利点がある。
【００２９】
なお、本発明の実施形態において、パレットガード５ａ〜５hの突出動作時にパレットガード５ａ〜５hとパット本体１にロック穴を設け、パレットガード５ａ〜５hの突出動作時のみロック穴が重なり、ロックピンを挿入することにより突出状態のロック機能を設け、本パレットからフォーク７a、７bを抜いても、パレットガード５ａ〜５hの突出動作を継続する機能があってもよい。
【００３０】
また、パレットガードベース板２とフォーク挿入板３a〜３hの接続はパレットガードベース板２とフォーク挿入板３a〜３hを一体化し、接続部でフォーク挿入板３a〜３hを折り曲げてもよい。また、パレットガードベース板２とフォーク挿入板３a〜３hの接続を蝶板で行い、斜めの角度はバネで保持してもよい。
【符号の説明】
【００３１】
１・・・パレット本体
２・・・パレットガードベース板
３ａ〜３ｈ・・・フォーク挿入力受容板
４ａ〜４ｄ・・・パレットガード支持棒
５ａ〜５ｈ・・・パレットガード
６・・・パレットセンター柱
７ａ、７ｂ・・・フォーク
８ａ〜８ｈ・・・フォーク穴
９・・・荷物
【図１】
2017001720.tif 000003
【図２】
2017001720.tif 000004
【図３】
2017001720.tif 000005
【図４】
2017001720.tif 000006